(57)【要約】【課題】薄型を実現しつつアンテナを複数にすることで複数の周波数帯に対応できる携帯電話装置を提供すること。【解決手段】本発明の携帯電話装置１００は、第一の筐体１と、第二の筐体２と、第一の筐体１と第二の筐体２とを回転自在に連結するヒンジ部３と、ヒンジ部３側と反対側の長手方向端部に設けられ第一の筐体１内の短手方向端部に設けられた第一のアンテナ７と、ヒンジ部３側とは反対側の長手方向端部に設けられ、第一の筐体１内の第一のアンテナ７と反対側の短手方向端部に設けられた第二のアンテナ８と、ヒンジ部３側とは反対側の長手方向端部に設けられ、第一の筺体内１に設けられたレシーバー４及び赤外線装置５と、第二の筐体２内に設けられた第三のアンテナ１３と、を有し、第一のアンテナ７及び第二のアンテナ８は、第一筐体１の背面及び先端面から見てレシーバー４及び赤外線装置５と重ならない位置に配置するように構成したものである。【選択図】図２
2009188714.tif 000002
【特許請求の範囲】
【請求項１】
第一の筐体と、
第二の筐体と、
前記第一の筐体と前記第二の筐体とを回転自在に連結するヒンジ部と、
前記ヒンジ部側と反対側の長手方向端部に設けられ、前記第一の筐体内の短手方向端部に設けられた第一のアンテナと、
前記ヒンジ部側とは反対側の長手方向端部に設けられ、前記第一の筐体内の前記第一のアンテナと反対側の短手方向端部に設けられた第二のアンテナと、
前記ヒンジ部側とは反対側の長手方向端部に設けられ、前記第一の筺体内に設けられた電子部品と、
前記第二の筐体内に設けられた第三のアンテナと、を有し、
前記第一のアンテナ及び前記第二のアンテナは、前記第一筐体の背面及び先端面から見て前記電子部品と重ならない位置に配置されている携帯電話装置。
【請求項２】
請求項１記載の携帯電話装置であって、
前記第一の筐体に設けられた回路基板と、
前記電子部品と前記回路基板とを接続する接続部と、
前記第一のアンテナ及び前記第二のアンテナと前記接続部との間に設けられた突起と、を備えた携帯電話装置。
【請求項３】
請求項１または請求項２に記載の携帯電話装置であって、
前記第一のアンテナ及び前記第二のアンテナは、前記金属部品との距離が使用周波数に対して１／１００波長以上の距離を隔てて配置されることを特徴とする携帯電話装置。
【請求項４】
請求項１から請求項３のいずれか１項に記載の携帯電話装置であって、
前記第一のアンテナまたは前記第二のアンテナは、前記第三のアンテナの周波数帯の少なくとも一部を動作周波数帯に持つことを特徴とする携帯電話装置。
【発明の詳細な説明】
【技術分野】
【０００１】
本発明は、携帯電話装置に関し、特に筐体を折り畳んだ状態から開いた状態にして通信を行う携帯電話装置に関する。
【背景技術】
【０００２】
従来、筐体を二つ折りにすることができる携帯電話装置において、通話用メインアンテナとＧＰＳアンテナとが異なる基板上に配置されたものが知られている（例えば、特許文献１）。特許文献１によれば、通話用メインアンテナとＧＰＳアンテナとの距離が離れているため結合劣化が少なく、またＧＰＳアンテナを上筐体の先端に構成しているため手の影響を受けにくく手持ち時のアンテナ特性が良いということが知られている。
【特許文献１】特開２００２−３１４３１３号公報
【発明の開示】
【発明が解決しようとする課題】
【０００３】
しかしながら、近年の携帯電話装置は、様々な機能が増えてきており、それに伴い使用するアンテナの数が増えてきている。さらに、近年の携帯電話装置は、携帯電話装置のユーザから小型化・薄型化の要望が一層高まっている。そのため、上記特許文献１記載のアンテナ付近に別のアンテナを追加しようとした場合、アンテナと周辺金属部品との距離が小さくアンテナ特性が劣化してしまうという問題があった。また、単にアンテナと周辺金属部品との距離を離してアンテナ特性を確保しようとすれば、携帯電話装置が大きくなることや、厚みが増してしまうという問題があった。
【０００４】
本発明は、従来の問題を解決するためになされたもので、携帯電話装置に複数のアンテナを搭載することによる携帯電話装置の大きさに与える影響を最小限としつつ、アンテナ特性の劣化を防ぐことができる携帯電話装置を提供することを目的とする。
【課題を解決するための手段】
【０００５】
上記課題を解決するために、本発明の携帯電話装置は、第一の筐体と、第二の筐体と、前記第一の筐体と前記第二の筐体とを回転自在に連結するヒンジ部と、前記ヒンジ部側と反対側の長手方向端部に設けられ、前記第一の筐体内の短手方向端部に設けられた第一のアンテナと、前記ヒンジ部側とは反対側の長手方向端部に設けられ、前記第一の筐体内の前記第一のアンテナと反対側の短手方向端部に設けられた第二のアンテナと、前記ヒンジ部側とは反対側の長手方向端部に設けられ、前記第一の筺体内に設けられた電子部品と、前記第二の筐体内に設けられた第三のアンテナと、を有し、前記第一のアンテナ及び前記第二のアンテナは、前記第一筐体の背面及び先端面から見て前記電子部品と重ならない位置に配置するように構成したものである。
【０００６】
この構成により、アンテナ素子と電子部品との近接を防ぐことができ、アンテナ特性が劣化するのを防ぐことができる。
【０００７】
また、本発明の携帯電話装置は、上記構成に加えて、第一の筐体に設けられた回路基板と、電子部品と前記回路基板とを接続する接続部と、第一のアンテナ及び前記第二のアンテナと前記接続部との間に設けられた突起と、を備えるように構成したものである。
【０００８】
この構成により、アンテナ素子と電子部品との距離が常に一定に保つことができ、アンテナ素子と電子部品との近接を防ぐことができ、アンテナ特性が劣化するのを防ぐことができる。
【０００９】
また、本発明の携帯電話装置は、上記構成に加えて、第一のアンテナ及び第二のアンテナと前記電子部品との距離が使用周波数に対して１／１００波長以上の距離を隔てて配置されるように構成したものである。
【００１０】
この構成により、アンテナ素子と電子部品との距離がアンテナインピーダンスの低下に影響を与えない距離となり、アンテナ特性が劣化するのを防ぐことができる。
【００１１】
また、本発明の携帯電話装置は、上記構成に加えて、第一のアンテナまたは第二のアンテナが第三のアンテナの周波数帯の少なくとも一部を動作周波数帯に持つように構成したものである。
【００１２】
この構成により、相互の動作周波数帯が近いアンテナ同士の距離が離れることによって、相互のアンテナの結合劣化が低減され、相互のアンテナ特性が劣化するのを防ぐことができる。
【発明の効果】
【００１３】
本発明によれば、携帯電話装置に複数のアンテナを構成することによって生じる各アンテナ特性の劣化を防ぐことができるため、使い勝手のよい携帯電話装置を実現できる。
【発明を実施するための最良の形態】
【００１４】
以下、本発明の実施の形態について、図面を参照して詳細に説明する。
【００１５】
図１は、本発明の実施の形態に係る携帯無線装置１００の外観図である。図１（Ａ）は、携帯無線装置１００を正面から見た図であり、図１（Ｂ）は、携帯無線装置１００を背面から見た図であり、図１（Ｃ）は、図１（Ａ）における矢印方向から携帯無線装置１００を見た図である。
【００１６】
携帯無線装置１００は、上側の筐体である第一の筐体１と下側の筐体である第二の筐体２との２つの筐体を有する。ヒンジ部３は、第一の筐体１と第二の筐体２とを回転自在に接続する。
【００１７】
そして、携帯電話装置１００は、図１（Ａ）に示すように、液晶表示部や操作部等を有しており、さらに、第一の筐体１は、レシーバー４を有している。また、上端面には、図１（Ｃ）に示すように、携帯電話装置１００以外の携帯電話装置等と通信するための赤外線通信装置５を備えている。
【００１８】
レシーバー４は、相手の声を受話するために第一の筺体１の上端部（第一の筺体１の長手方向端部）に構成させなければならない。また、赤外線通信装置５は、他の携帯電話装置と通信をする際の利便性を考慮して、レシーバー４と同様に第一の筺体１の上端部に配置される。このように第一の筺体１の上端部には、レシーバー４や赤外線通信装置５のような特定の電子部品が必ず配置される。
【００１９】
図２は、図１（Ｂ）側から見た携帯電話装置１００の内部構造を示す図である。図３は、図２における、第一筐体１の上端部（第一筐体１の長手方向端部）の拡大図面である。
図４は、図３における（１）矢印側から見た（図１（Ｃ）側から見た）携帯電話装置１００の内部構造を示す図である。図５は、図３における（２）及び（３）矢印方向から見た携帯端末１００の内部構造を示す図であり、図５（Ａ）は、図３における（２）矢印方向から見た内部構造を示す図であり、図５（Ｂ）は、図３における（３）矢印方向から見た内部構造を示す図である。
【００２０】
第一の筺体１は、第一の回路基板６及び第一のアンテナ７、第二のアンテナ８を内部に有する。第一のアンテナ７、第二のアンテナ８は、第一の回路基板６のヒンジ部３と逆側の先端部（第一の筐体１の長手方向端部）に配置されている。そして、図２及び図３に示すように、第一のアンテナ７と第二のアンテナ８とは、第一の筐体１の短手方向端部にそれぞれ配置されている。また、第一のアンテナ７は、給電部９と無線回路１０と電気的に接続し、第二のアンテナ８は、給電部１１と無線回路１０とに電気的に接続されている。
第二の筺体２は、第二の回路基板１２を内部に有するとともに通話用メインアンテナである第三のアンテナ１３を内部に有する。回路基板１２には回路パターンが平面部に形成されており、回路パターン上の給電部１４と第三のアンテナ１３が電気的に接続している。
【００２１】
第一の筺体１内に有する第一の回路基板６と第二の筺体２内に有する第二の回路基板１２は、ヒンジ部３内を通る同軸ケーブル１５を介して電気的に接続されている。
【００２２】
第一のアンテナ７は、ダイバーシチ受信用サブアンテナであり、通話用メインアンテナである第三のアンテナ１３と同一の周波数帯域を持つように構成にする。サブアンテナである第一のアンテナ７の給電部９と通話用メインアンテナである第三のアンテナ１３の給電部１４を異なる回路基板上に構成しているため、給電部９と給電部１４との間に生ずる相互結合劣化を容易に低減させることができる。
【００２３】
また、第一のアンテナ７の逆側の短手方向端部に構成している第二のアンテナ８は、ＧＰＳアンテナ等の第一のアンテナ７及び第三のアンテナ１３と異なる周波数帯域を持つアンテナにする。この構成により、第二のアンテナ８が狭帯域であるため、第一のアンテナ７と第二のアンテナ８との結合劣化を少なくすることができる。
【００２４】
レシーバー４は、ケーブル１６を介して回路基板６と電気的に接続されている。回路基板６上には、ケーブル１６と接続するコネクタ部１７が配置される。ここで、第二のアンテナ８の電圧分布が最も大きい先端部分が、レシーバー４やケーブル１６に近いと電圧が下がることによってインピーダンスが下がり、放射が妨げられアンテナ特性が劣化してしまう。そこで、第二のアンテナ８とレシーバー４及びケーブル１６との距離を使用周波数に対して１／１００波長以上離すことによって、レシーバー４及びケーブル１６の影響を除去することができ、アンテナ特性の劣化を防ぐことができる。
【００２５】
また、第二のアンテナ８とレシーバー４及びケーブル１６との距離を使用周波数に対して１／１００波長以上に保つために、突起物１８を設ける。突起物１８は、アンテナ特性に影響を与えない樹脂材料からなる。
【００２６】
さらに、回路基板６上の端にコネクタ部１７を構成し、第二のアンテナ８の給電部１１を回路基板６の長手方向にコネクタ部１７と使用周波数に対して１／１００波長以上離して構成している。この構成で第二のアンテナ８の素子長を回路基板６の長手方向に長くすることによって、アンテナ特性が向上する。
【００２７】
赤外線装置５は、フレキシブル配線板１９を介して回路基板６と電気的に接続されている。回路基板６上には、フレキシブル配線板１９と接続するコネクタ部２０が配置される。フレキシブル配線板１９は、折り曲げて重ねて配置されている。
【００２８】
第一のアンテナ７は、先端を赤外線装置５から離すためにアンテナ素子を第１の筐体１の内部側に折り曲げて構成させる。これは、第一のアンテナ７を第一の筐体１の先端に沿って延ばした場合、電圧分布が最も大きいアンテナの先端が金属部品である赤外線装置５に近づくため、電圧が下がることによってインピーダンスが下がり、放射が妨げられアンテナ特性が劣化するからである。
【００２９】
第一のアンテナ７と赤外線装置５とは、使用周波数に対して１／１００波長以上離すことによって、アンテナ特性の劣化を防ぐことができる。
【００３０】
さらに、第一のアンテナ７とフレキシブル配線板１９との距離を使用周波数に対して常に１／１００波長以上に保つためにアンテナ特性に影響しない樹脂材料による突起物２１を設ける。これまで、フレキシブル配線板１９が折り曲げて重ねられていることにより上下方向に動いてしまい、第一のアンテナ７とフレキシブル配線板１９との距離が変動してしまうという問題があったが、突起物２１により、これを解消することができる。
【００３１】
以上のように、携帯電話装置１００の上筺体先端（第一の筐体１の先端）に電子部品が構成されることによって、アンテナを構成できるスペースは限られてくるが、本発明によれば、第一のアンテナ７及び第二のアンテナ８を第一の筐体１の背面及び先端面から見てレシーバー４や赤外線装置５等の電子部品と重ならない位置に配置することで、省スペースで最適なアンテナ形状を構成でき、アンテナが電子部品の影響を受けずアンテナ特性の劣化を防ぐことができる。また、本実施の形態によれば、周波数帯域の異なる複数の受信アンテナを省スペースに効率よく配置することができる。
【００３２】
なお、本発明に係る携帯電話装置が備えるアンテナは、受信アンテナに限らず、例えばＢｌｕｅｔｏｏｔｈのような近距離無線システムやＷｉｒｅｌｅｓｓ  ＬＡＮ等、人体に吸収される電磁波の局所平均ＳＡＲ（Specific Absorption Rates：比吸収率）に影響を与えないような送信電力の低い送受信アンテナでもよい。
【００３３】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【産業上の利用可能性】
【００３４】
本発明は、携帯電話だけでなく、折り畳み形状で複数のアンテナを有するような電子機器に利用できる。例えば、ゲーム機、電子辞書、ノートパソコン、ＰＤＡ、等が考えられる。
【図面の簡単な説明】
【００３５】
【図１】本発明の携帯電話装置の外面図
【図２】本発明の携帯電話装置の内面図
【図３】本発明の携帯電話装置の第一の筐体の先端部分の拡大図
【図４】本発明の携帯電話装置の第一の筐体の先端側から見た内面図
【図５】本発明の携帯電話装置の短手方向端部側から見た内面図
【符号の説明】
【００３６】
１００    携帯電話装置
１    第一の筐体
２    第二の筐体
３    ヒンジ部
４    レシーバー
５    赤外線装置
６    第一の回路基板
７    第一のアンテナ
８    第二のアンテナ
９    給電部
１０    無線部
１１    給電部
１２    第二の回路基板
１３    第三のアンテナ
１４    給電部
１５    同軸ケーブル
１６    ケーブル
１７    コネクタ
１８    突起
１９    フレキシブル基板
２０    コネクタ
２１    突起
【図１】
2009188714.tif 000003
【図２】
2009188714.tif 000004
【図３】
2009188714.tif 000005
【図４】
2009188714.tif 000006
【図５】
2009188714.tif 000007